【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
インプラントに対応するテンプレートデータを、医療画像とともに表示するための情報処理装置であって、
前記テンプレートデータ、及び前記テンプレートデータの予め定められた部分の距離と、前記医療画像を表示するときの前記医療画像の変倍率に関するデータを保持する保持手段と、
前記保持手段で保持されているテンプレートデータを表示部に表示させる表示手段と、
前記表示部で表示されているテンプレートデータの前記予め定められた部分の距離を計測する計測手段と、
前記表示手段で表示されているテンプレートデータの変倍率の誤差範囲を指定する指定手段と、
前記計測手段による計測結果と前記保持手段に保持された予め定められた部分の距離とに基づく前記テンプレートデータの変倍率と、前記医療画像の変倍率に関するデータとを比較することにより、前記テンプレートデータの変倍率が、前記指定手段で指定された誤差範囲にあるか否かを判定する判定手段と
を備えることを特徴とする情報処理装置。
【請求項２】
前記テンプレートデータの予め定められた部分の距離と、前記医療画像の変倍率に関するデータのいずれか一方またはその両者を入力する入力手段を更に備え、
前記判定手段は、前記入力手段からの入力値を用いることで、前記テンプレートデータの変倍率が前記指定手段で指定された誤差範囲であるか否かを判定する
ことを特徴とする請求項１に記載の情報処理装置。
【請求項３】
前記判定手段の判定結果に基づいて、前記テンプレートデータの解像度を修正する修正手段を更に備え、
前記判定手段の判定の結果、前記修正手段は、前記変倍率が、前記指定手段で指定された誤差範囲にない場合、前記テンプレートデータの解像度を前記医療画像の解像度に修正する
ことを特徴とする請求項１に記載の情報処理装置。
【請求項４】
前記修正手段により解像度を修正した場合、前記計測手段による再計測処理を実行し、その計測値から得られる前記変倍率が前記指定手段で指定された誤差範囲であると前記判定手段が判定した場合に、前記解像度を修正したテンプレートデータを前記保持手段に更新記憶する
ことを特徴とする請求項３に記載の情報処理装置。
【請求項５】
前記表示手段は、複数種類の標準モデルデータを前記表示部に表示させ、
前記表示部で表示されている複数種類の標準モデルデータから構成されるテンプレートデータから、指定された標準モデルデータをテンプレートデータとして切り出す切出手段と、
前記判定手段の判定結果に基づいて、前記切出手段による切出操作を許可／禁止する制御手段とを更に備え、
前記制御手段は、前記判定手段が、前記変倍率が前記指定手段で指定された誤差範囲であると判定した場合に、前記切出手段による切出操作を許可する
ことを特徴とする請求項１に記載の情報処理装置。
【請求項６】
インプラントに対応するテンプレートデータを、医療画像とともに表示するための情報処理装置の制御方法であって、
前記テンプレートデータ、及び前記テンプレートデータの予め定められた部分の距離と、前記医療画像を表示するときの前記医療画像の変倍率に関するデータを保持する記憶媒体から、該記憶媒体に保持されているテンプレートデータを表示部に表示させる表示工程と、
前記表示部で表示されているテンプレートデータの前記予め定められた部分の距離を計測する計測工程と、
前記表示工程で表示されているテンプレートデータの変倍率の誤差範囲を指定する指定工程と、
前記計測工程による計測結果と前記記憶媒体に保持された予め定められた部分の距離とに基づく前記テンプレートデータの変倍率と、前記医療画像の変倍率に関するデータとを比較することにより、前記テンプレートデータの変倍率が、前記指定工程で指定された誤差範囲にあるか否かを判定する判定工程と
を備えることを特徴とする情報処理装置の制御方法。
【請求項７】
インプラントに対応するテンプレートデータを、医療画像とともに表示するための情報処理装置の制御をコンピュータに機能させるためのプログラムあって、
前記コンピュータを、
前記テンプレートデータ、及び前記テンプレートデータの予め定められた部分の距離と、前記医療画像を表示するときの前記医療画像の変倍率に関するデータを保持する保持手段と、
前記保持手段で保持されているテンプレートデータを表示部に表示させる表示手段と、
前記表示部で表示されているテンプレートデータの前記予め定められた部分の距離を計測する計測手段と、
前記表示手段で表示されているテンプレートデータの変倍率の誤差範囲を指定する指定手段と、
前記計測手段による計測結果と前記保持手段に保持された予め定められた部分の距離とに基づく前記テンプレートデータの変倍率と、前記医療画像の変倍率に関するデータとを比較することにより、前記テンプレートデータの変倍率が、前記指定手段で指定された誤差範囲にあるか否かを判定する判定手段と
して機能させるためのプログラム。
【手続補正２】
【補正対象書類名】明細書
【補正対象項目名】００１５
【補正方法】変更
【補正の内容】
【００１５】
上記の目的を達成するための本発明による情報処理装置は以下の構成を備える。即ち、
インプラントに対応するテンプレートデータを、医療画像とともに表示するための情報処理装置であって、
前記テンプレートデータ、及び前記テンプレートデータの予め定められた部分の距離と、前記医療画像を表示するときの前記医療画像の変倍率に関するデータを保持する保持手段と、
前記保持手段で保持されているテンプレートデータを表示部に表示させる表示手段と、
前記表示部で表示されているテンプレートデータの前記予め定められた部分の距離を計測する計測手段と、
前記表示手段で表示されているテンプレートデータの変倍率の誤差範囲を指定する指定手段と、
前記計測手段による計測結果と前記保持手段に保持された予め定められた部分の距離とに基づく前記テンプレートデータの変倍率と、前記医療画像の変倍率に関するデータとを比較することにより、前記テンプレートデータの変倍率が、前記指定手段で指定された誤差範囲にあるか否かを判定する判定手段と
を備える。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
また、好ましくは、前記テンプレートデータの予め定められた部分の距離と、前記医療画像の変倍率に関するデータのいずれか一方またはその両者を入力する入力手段を更に備え、
前記判定手段は、前記入力手段からの入力値を用いることで、前記テンプレートデータの変倍率が前記指定手段で指定された誤差範囲であるか否かを判定する。
【手続補正５】
【補正対象書類名】明細書
【補正対象項目名】００２０
【補正方法】変更
【補正の内容】
【００２０】
また、好ましくは、前記表示手段は、複数種類の標準モデルデータを前記表示部に表示させ、
前記表示部で表示されている複数種類の標準モデルデータから構成されるテンプレートデータから、指定された標準モデルデータをテンプレートデータとして切り出す切出手段と、
前記判定手段の判定結果に基づいて、前記切出手段による切出操作を許可／禁止する制御手段とを更に備え、
前記制御手段は、前記判定手段が、前記変倍率が前記指定手段で指定された誤差範囲であると判定した場合に、前記切出手段による切出操作を許可する。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】変更
【補正の内容】
【００３５】
上記の目的を達成するための本発明による情報処理装置の制御方法は以下の構成を備える。即ち、
インプラントに対応するテンプレートデータを、医療画像とともに表示するための情報処理装置の制御方法であって、
前記テンプレートデータ、及び前記テンプレートデータの予め定められた部分の距離と、前記医療画像を表示するときの前記医療画像の変倍率に関するデータを保持する記憶媒体から、該記憶媒体に保持されているテンプレートデータを表示部に表示させる表示工程と、
前記表示部で表示されているテンプレートデータの前記予め定められた部分の距離を計測する計測工程と、
前記表示工程で表示されているテンプレートデータの変倍率の誤差範囲を指定する指定工程と、
前記計測工程による計測結果と前記記憶媒体に保持された予め定められた部分の距離とに基づく前記テンプレートデータの変倍率と、前記医療画像の変倍率に関するデータとを比較することにより、前記テンプレートデータの変倍率が、前記指定工程で指定された誤差範囲にあるか否かを判定する判定工程と
を備える。
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】変更
【補正の内容】
【００３７】
上記の目的を達成するための本発明によるプログラムは以下の構成を備える。即ち、
インプラントに対応するテンプレートデータを、医療画像とともに表示するための情報処理装置の制御をコンピュータに機能させるためのプログラムあって、
前記コンピュータを、
前記テンプレートデータ、及び前記テンプレートデータの予め定められた部分の距離と、前記医療画像を表示するときの前記医療画像の変倍率に関するデータを保持する保持手段と、
前記保持手段で保持されているテンプレートデータを表示部に表示させる表示手段と、
前記表示部で表示されているテンプレートデータの前記予め定められた部分の距離を計測する計測手段と、
前記表示手段で表示されているテンプレートデータの変倍率の誤差範囲を指定する指定手段と、
前記計測手段による計測結果と前記保持手段に保持された予め定められた部分の距離とに基づく前記テンプレートデータの変倍率と、前記医療画像の変倍率に関するデータとを比較することにより、前記テンプレートデータの変倍率が、前記指定手段で指定された誤差範囲にあるか否かを判定する判定手段と
して機能させるためのプログラム。
【手続補正２３】
【補正対象書類名】明細書
【補正対象項目名】００３８
【補正方法】削除
【補正の内容】